(57)【要約】【課題】  利用者の体型を制限せず、又、装着部位を制限せず、適した径に自在に変化させて装着可能な虫除け器具を得る。【解決手段】  短辺方向に湾曲面を形成してなる短冊状の金属板と、金属板の少なくとも１面を被覆した、虫除け効果を有す樹脂層とを具備し、金属板は、当該金属板の長手方向において、湾曲面の外周面を内周面とし、所定の曲率にて複数回巻かれた状態にフォーミングされたことを特徴とする。【選択図】  図４
0003127900.tif 000002
【実用新案登録請求の範囲】
【請求項１】
短辺方向に湾曲面を形成してなる短冊状の金属板と、
前記金属板の少なくとも１面を被覆した、虫除け効果を有す樹脂層とを具備し、
前記金属板は、当該金属板の長手方向において、前記湾曲面の外周面を内周面とし、所定の曲率にて複数回巻かれた状態にフォーミングされた
ことを特徴とする虫除け器具。
【請求項２】
短冊状の金属板と、
前記金属板の少なくとも１面を被覆した樹脂層とを有し、
前記金属板は、当該金属板の長手方向において、変形自在である
ことを特徴とする虫除け器具。
【請求項３】
棒状の金属部材と、
前記金属部材の全周を被覆した樹脂層とを有し、
前記金属部材は、当該金属部材の長手方向において、変形自在である
ことを特徴とする虫除け器具。
【請求項４】
樹脂層には、アロマオイルが略均一に含有している
ことを特徴とする請求項１乃至請求項３の何れかに記載の虫除け器具。
【請求項５】
樹脂層には、虫除け効果材が充填されたマイクロカプセルが略均一に含有していることを特徴とする請求項１乃至請求項３の何れかに記載の虫除け器具。
【請求項６】
長手方向の長さが１０ｃｍ〜５０ｃｍである
ことを特徴とする請求項１乃至請求項５の何れかに記載の虫除け器具。
【考案の詳細な説明】
【技術分野】
【０００１】
本考案は、利用者が、例えば腕に巻く等して、身に付けることにより、虫除けの効果を得ることが出来る虫除け器具に関し、特に、首、腕、足首など、巻き付け部位の太さ（径）に制限を与えることなく、自在に巻き付け径を可変出来る虫除け器具に関する。
【背景技術】
【０００２】
従来の虫除け器具について、図７を用いて説明する。
【０００３】
図７は、従来の虫除け器具の平面図である。
【０００４】
図７（ａ）において、２１は、所定の径を有し、リング状に成形された虫除け器具（以下、虫除けリングと称す）である。図７（ｂ）において、２２は、図７（ａ）に示す虫除けリングの径より小さい所定の径を有した虫除けリングである。
【０００５】
虫除けリング２１、２２は共に、例えば、アロマオイルの一種であるレモンユーカリ油を略均一に含有させた樹脂をリング状に成形してなる。尚、当該樹脂は適度な弾性を有している。
【０００６】
ところで、レモンユーカリ油が発する臭気に虫除け効果があることは、一般に知られているところである。
【０００７】
即ち、利用者が、このような虫除けリングを、例えば腕などに装着し、ブレスレット（Bracelet）と同じような使用態様にて身につけると、虫除けリングに含有されたレモンユーカリ油が発する臭気により、虫除け効果を得ることが出来る。
【考案の開示】
【考案が解決しようとする課題】
【０００８】
上述した通り、従来の虫除け器具（虫除けリング）は、弾性を有したリングであった。しかし、当該弾性は、利用者が、例えば腕に装着する際に、装着しやすいように変形せしめることが可能な程度のものであり、一定の幅を持って伸縮するようなものではなかった。
【０００９】
従来の虫除けリングと異なり、一定の幅を持って伸縮する虫除けリングも考えられるが、このような伸縮性を有した虫除けリングでは、利用者が腕などに装着した際、圧迫感を感じ、延いては、血流を阻害するという弊害が生じる得る為、実用化に至っていなかった。
【００１０】
このような背景から、従来の虫除けリングは、一定の幅を持って伸縮するほどの弾性を有したものではなかった。
【００１１】
従って、利用者が虫除けリングを装着する際、その装着する部位は、虫除けリングの径に依存し、制限されるものであった。
【００１２】
尚、このような制限は利用者の利便性を損なうものである為、従来は、利用者に対し、虫除けリング２１、２２のように径の異なるものを複数種提供していた。
【００１３】
その為、提供者側にとっては、コスト低減が困難となり、又、在庫管理も複雑になるという課題があった。一方、利用者側にとっては、複数種の虫除けリングを所有しなければならないという煩雑さ、装着部位の径に適した虫除けリングを得ることが出来ないという不便さを強いられるものであった。
【００１４】
本考案は、上述のような課題を解決する為になされたものであり、利用者の体型を制限せず、又、装着部位を制限せず、適した径に自在に変化させることにより、良好な装着性を得る虫除け器具を提供するものである。
【課題を解決するための手段】
【００１５】
本考案に係る虫除け器具は、短辺方向に湾曲面を形成してなる短冊状の金属板と、金属板の少なくとも１面を被覆した、虫除け効果を有す樹脂層とを具備し、金属板は、当該金属板の長手方向において、湾曲面の外周面を内周面とし、所定の曲率にて複数回巻かれた状態にフォーミングされたことを特徴とする。
【考案の効果】
【００１６】
本考案に係る虫除け器具においては、利用者の体型を制限せず、又、装着部位を制限せず、適した径に自在に変化させることにより、良好な装着性を得る故、利用者の利便性が大幅に向上する。
【考案を実施するための最良の形態】
【００１７】
実施の形態１．
以下、本実施の形態１における虫除け器具について説明する。
【００１８】
図１は、本考案を実施する為の実施の形態１における虫除け器具の構成部品である金属板の斜視図である。図２は、本考案を実施する為の実施の形態１における虫除け器具の斜視図である。図３は、本考案を実施する為の実施の形態１における虫除け器具の複数回巻かれた状態を示す斜視図である。図４は、本考案を実施する為の実施の形態１における虫除け器具を腕に装着した状態を示す斜視図である。
【００１９】
図１において、２は短冊状に所定の長さ延在した金属板であり、金属板２の短辺方向に湾曲した湾曲面２ａが、金属板２の長手方向の全長に形成されている。本実施の形態１では、金属板２は、ステンレス製であり、長さＬは１０ｃｍ〜５０ｃｍである。尚、金属板２の材質は、ステンレス製に限られるものではない。
【００２０】
図２において、１は虫除け器具である。虫除け器具１は、金属板２の全周を樹脂層３で被覆して構成されている。尚、本実施の形態１における樹脂層３は、アロマオイルの一種であるレモンユーカリ油が略均一に含有された樹脂を成形してなるが、これに限らず、他のアロマオイル、その他の虫除け効果材、或いは、各種虫除け効果材が充填されたマイクロカプセルが含有された樹脂を成形しても良い。更に、レモンユーカリ油、他のアロマオイル、その他の虫除け効果材、或いは、各種虫除け効果材が充填されたマイクロカプセルなどが複数種混合して含有された樹脂を成形しても良い。
【００２１】
本実施の形態１では、金属板２に対する樹脂層３の被覆を、インサート成形により実現している。従って、樹脂層３は、金属板２の湾曲面２ａの両面並びに４端面の全てを被覆してなる。このように樹脂層３にて金属板２の全周を覆う、即ち、金属板２の端面の露出を無くした構成とすることにより、例えば、利用者が金属板２の端面に触れることなく、安全性が確保される。又、金属板２は例えばプレス成形にて短冊状に成形されるが、成形後、端面のバリ処理を行う必要がなく、製造工程数の削減、延いては、低コスト化を図ることが可能となる。
【００２２】
尚、金属板２に対する樹脂層３の被覆は、本実施の形態１によるインサート成形に限らず、例えば、湾曲面２ａの少なくとも片面に樹脂層３を接着或いは粘着により形成しても良い。或いは、押し出し成形などにより被覆しても良い。
【００２３】
ここで、金属板２の動作特性について説明する。
【００２４】
金属板２は、湾曲面２ａを有し、長手方向において、湾曲面２ａの外周面が内周面となるように、所定の曲率Ｒ（後述する図３参照）にて複数回巻かれた状態にフォーミングされている。従って、湾曲面２ａが図１或いは図２に示した向きに湾曲している場合には、当該湾曲面２ａが有する反りにより、金属板２は、フォーミングに逆らい直線状態（即ち、短冊状態）を維持する。
【００２５】
一方、図１或いは図２に示す直線状態（即ち、短冊状態）にて、湾曲部２ａの反りが反転すると、フォーミングにより、金属板２は瞬時に所定の曲率Ｒ（後述する図３参照）にて複数回巻かれた状態へと変化する。
【００２６】
このような金属板２の動作特性は、いわゆる金属製の巻き尺と同一のメカニズムにより実現されている。
【００２７】
ところで、樹脂層３は適度な弾性を有している為、虫除け器具１は、樹脂層３に覆われた金属板２の上記動作に追従することが可能である。即ち、湾曲面２ａの反りが反転した場合には、図３に示すように、複数回巻かれた状態となる。
【００２８】
本実施の形態１では、このような巻き状態となった場合の最内周面の曲率Ｒが２０ｍｍ〜４０ｍｍとなるように設定されており、これにより、例えば平均的な体型の幼児の腕に、虫除け器具１を装着する際にも、余長が発生せず、良好な装着感（フィット感）を得ることが出来る。
【００２９】
以下、虫除け器具１の使用方法について、図４を用いて説明する。
【００３０】
図４には、一例として、例えば利用者が腕に虫除け器具１を装着する場合を示している。
【００３１】
まず、利用者は、直線状態（短冊状態）を保った虫除け器具１を腕に軽く打ち付ける。すると、打ち付けた際に虫除け器具１に印加される衝撃力により、湾曲面２ａの反りが反転し、瞬時に、虫除け器具１は矢印Ａ方向に変形し、利用者の腕に巻き付く。
【００３２】
この際、利用者の腕の太さ（径）は図３に示す曲率Ｒより大きく、従って、虫除け器具１は利用者の腕に余長を残すことなく、フィットすることとなる。
【００３３】
即ち、本実施の形態１における虫除け器具１では、利用者が装着したい部位に、余長を残すことなく、フィットさせることが出来る。
【００３４】
そして、利用者が虫除け器具１を装着している状態においては、樹脂層３に含有されたレモンユーカリ油により、虫除け効果を得ることが出来る。即ち、レモンユーカリ油が発する臭気により、虫除け効果を得ることが出来る。即ち、このような虫除け効果は、樹脂層３の露出面積に比例する。尚、このような虫除け効果は、従来技術である故、詳細な説明を省略する。
【００３５】
本実施の形態１では、金属板２の長さＬを１０ｃｍ〜５０ｃｍ（虫除け器具１の長さは、「Ｌ＋樹脂層３の厚み」となる）としている。
【００３６】
ところで、当該長さＬが短すぎると、巻き付ける部位の太さ（径）によっては、全周に巻き付けることが出来なくなり、従って、樹脂層３の露出面積を最大限にすることが出来ない。即ち、虫除け効果を最大限に発揮させることが出来ない。
【００３７】
また、虫除け器具１が全周に巻き付けられない場合、虫除け器具１を腕に軽く打ち付け、瞬時に、利用者の腕に巻き付ける際、虫除け器具１の長手方向端部が利用者の腕に直接打ち付けられてしまう為、利用者にとって不快感が生じる。
【００３８】
一方、当該長さＬが長すぎると、巻き付ける部位の太さ（径）によっては、何重にも巻き付ける必要がある故、装着時の虫除け器具１の厚みが厚くなりすぎ、装着感の劣化、見栄えの劣化という問題が生じてしまう。
【００３９】
そこで、本実施の形態１では、金属板２の長さＬを１０ｃｍ〜５０ｃｍとすることにより、利用者が望む各種巻き付け部位に対し、上述した課題を最小限に抑制しながら、利用可能としている。
【００４０】
実施の形態２．
以下、本実施の形態２における虫除け器具について説明する。
【００４１】
図５は、本考案を実施する為の実施の形態２における虫除け器具の斜視図である。図６は、本考案を実施する為の実施の形態２における虫除け器具を腕に装着した状態を示す斜視図である。
【００４２】
図５において、５は虫除け器具、６は変形自在な棒状の金属部材（以下、針金６と称す）、７は針金６の全周を被覆した樹脂層であり、略均一にレモンユーカリ油が含有されている。尚、樹脂層７は、実施の形態１における樹脂層３と同じく、適度な弾性を有している。
【００４３】
虫除け器具５は、内部に針金６を備えている為、変形自在となる。従って、利用者は、虫除け器具５を、所望の部位に自在に装着することが可能である。尚、図６に、一例として、利用者が腕に、虫除け器具１を自在に巻き付けた状態を示す。
【００４４】
尚、本実施の形態２においては、虫除け器具５を変形自在な棒状としたが、これに限られるものではない。例えば、同じく変形自在な短冊状の金属板に樹脂層を被覆したものでも良い。この場合、樹脂層の露出面積を、棒状と比して大きくすることが出来る為、実施の形態１と同様に、レモンユーカリ油に起因する虫除け効果を増すことが出来る。
【００４５】
以上の通り、実施の形態１、実施の形態２おける虫除け器具は、利用者の体型を制限せず、又、装着部位を制限せず、適した径に自在に変化させることにより、良好な装着性を得る故、利用者の利便性が大幅に向上する。
【図面の簡単な説明】
【００４６】
【図１】本考案を実施する為の実施の形態１における虫除け器具の構成部品である金属板の斜視図である。
【図２】本考案を実施する為の実施の形態１における虫除け器具の斜視図である。
【図３】本考案を実施する為の実施の形態１における虫除け器具の複数回巻かれた状態を示す斜視図である。
【図４】本考案を実施する為の実施の形態１における虫除け器具を腕に装着した状態を示す斜視図である。
【図５】本考案を実施する為の実施の形態２における虫除け器具の斜視図である。
【図６】本考案を実施する為の実施の形態２における虫除け器具を腕に装着した状態を示す斜視図である。
【図７】（ａ）は、所定の径を有し、リング状に成形された虫除け器具である。（ｂ）は、（ａ）に示す虫除け器具の径より小さい所定の径を有した虫除け器具である。
【符号の説明】
【００４７】
１、５  虫除け器具
２  金属板
２ａ  湾曲面
３、７  樹脂層
６  金属部材（針金）
Ｒ  曲率
【図１】
0003127900.tif 000003
【図２】
0003127900.tif 000004
【図３】
0003127900.tif 000005
【図４】
0003127900.tif 000006
【図５】
0003127900.tif 000007
【図６】
0003127900.tif 000008
【図７】
0003127900.tif 000009